(57)【要約】【課題】使用者が五徳をトッププレート上のバーナ周囲に載置する際の位置決めが容易で使い勝手が良好なガスコンロを提供する。【解決手段】ガスコンロ本体１０の上面にトッププレート２０を被着し、トッププレートのバーナ用開口にガスコンロ本体内から各バーナ１２Ｌ，１２Ｒを挿通すると共に、トッププレート上の各バーナ周囲に五徳３０を配置する。五徳の一部の五徳爪３２に係止突片を形成し、係止突片に対応する位置に係止凹部３３を設ける。各バーナの火炎形成部４５に点火装置４８及び炎検出器４９を配設する。各バーナを、筒体４３の軸線がガスコンロ１の前後方向に対し傾斜し、その傾斜方向が同一で傾斜角度が同一又は傾斜方向が左右対称で傾斜角度が同一な状態に配設する。各バーナの点火装置及び炎検出器の少なくとも一方を筒体の軸線上に配設し、各バーナの少なくとも１つの係止凹部を筒体の軸線上で点火装置又は炎検出器と対向した位置に設ける。【選択図】図２
2015230118.tif 000002
【特許請求の範囲】
【請求項１】
ガスコンロ本体の上面にトッププレートが被着され、このトッププレートに形成した複数のバーナ用開口に前記ガスコンロ本体内から、それぞれ環状の火炎形成部を形成した複数のバーナが挿通されているとともに、前記トッププレート上の各バーナ周囲に五徳が配置されており、
前記五徳は、平面視略環状をした五徳枠と、この五徳枠の周方向に複数設けられ被加熱物が載置される板状部材からなる五徳爪とを備え、一部の五徳爪に係止突片が形成されているとともに、この係止突片に対応する位置に係止突片を係止する係止凹部が設けられており、
前記各バーナは、ガス噴出用のノズルと、吸引口を有する筒体とを備え、前記ノズルから燃料ガスが噴出することによるエジェクター効果によって、燃焼用空気を一次空気として前記吸引口から吸引し、前記ノズルから噴出する燃料ガスと前記一次空気とが前記筒体内で混合されて混合気を成し、この混合気が前記火炎形成部に供給されるようになっており、
前記各バーナの火炎形成部の所定箇所に、前記火炎形成部から噴出する混合気を点火する点火装置と、前記火炎形成部に形成される火炎を検出する炎検出器とが配設されてなるガスコンロにおいて、
前記各バーナは、その筒体の軸線がガスコンロの前後方向に対して傾斜し、その傾斜方向が同一でかつ傾斜角度が同一又は傾斜方向が左右対称でかつ傾斜角度が同一な状態に配設されており、
前記各バーナの点火装置及び炎検出器の少なくとも一方は、当該バーナの筒体の軸線上又は軸延長線上に配設されており、前記各バーナの少なくとも１つの係止凹部は、前記筒体の軸線上又は軸延長線上で前記点火装置又は前記炎検出器と対向した位置に設けられていることを特徴とするガスコンロ。
【請求項２】
前記五徳の五徳爪は、五徳枠の周方向に６０度間隔で６つ設けられており、この６つの五徳爪のうち、１２０度間隔毎の３つの五徳爪にそれぞれ係止突片が形成されており、前記各バーナの筒体の軸線は、ガスコンロの前後方向に対する傾斜角度が６０度に設定されている請求項１記載のガスコンロ。
【請求項３】
前記バーナは、左右に２つ備えており、この２つのバーナのうち、左側のバーナは、その筒体が火炎形成部の右側に位置した状態に配設されている一方、右側のバーナは、その筒体が火炎形成部の左側に位置した状態に配設されている請求項２記載のガスコンロ。
【請求項４】
前記各バーナの点火装置及び炎検出器は、平面視でバーナの火炎形成部の中心回りに１２０度間隔に配設されている請求項２又は３記載のガスコンロ。
【発明の詳細な説明】
【技術分野】
【０００１】
本発明は、調理用燃焼装置としてのガスコンロに関し、特に、複数のバーナを備えるものに係わる。
【背景技術】
【０００２】
従来、この種のガスコンロとして、例えば特許文献１に開示されているように、ガスコンロ本体の上面にトッププレートが被着され、このトッププレートに形成した複数のバーナ用開口に前記ガスコンロ本体内から、それぞれ環状の火炎形成部（バーナ本体等ともいう）を形成した複数のバーナが挿通されているとともに、前記トッププレート上の各バーナ周囲に五徳が配置されてなるものは知られている。
【０００３】
前記五徳は、通常、平面視略環状をした五徳枠と、この五徳枠の周方向に複数設けられ被加熱物が載置される板状部材からなる五徳爪とを備えてなる。そして、特許文献１に記載のガスコンロの場合、複数の五徳爪のうち、一部の五徳爪、例えば五徳枠の周方向に１８０度間隔の２つの五徳枠にそれぞれ係止突片を形成するとともに、この係止突片に対応する位置（例えばバーナ外周に位置するバーナリングの前後方向の２箇所）に、係止突片を係止する係止凹部を設けることにより、使用者が五徳をトッププレート上のバーナ周囲に載置する際に前記係止突片と係止凹部とで位置決めを行い得るようになっている。
【０００４】
前記各バーナは、通常、ガス噴出用のノズルと、吸引口を有する筒体（混合管ともいう）とを備え、前記ノズルから燃料ガスが噴出することによるエジェクター効果によって、燃焼用空気を一次空気として前記吸引口から吸引し、前記ノズルから噴出する燃料ガスと前記一次空気とが前記筒体内で混合されて混合気を成し、この混合気が前記火炎形成部に供給されるようになっている。また、各バーナの火炎形成部の所定箇所には、前記火炎形成部から噴出する混合気を点火する点火装置と、前記火炎形成部に形成される火炎を検出する炎検出器とが配設されている。
【先行技術文献】
【特許文献】
【０００５】
【特許文献１】特開２０１１−１７９７７５号公報
【発明の概要】
【発明が解決しようとする課題】
【０００６】
ところで、前記各バーナの筒体は、燃料ガスと一次空気とを十分に混合するために混合気の流通方向である軸方向の長さ寸法をある程度大きくする必要があり、軸方向の長さが長くなる。各バーナは、通常、筒体の軸方向がガスコンロの前後方向と一致した状態で配設されている。この場合、各バーナにおいて、特許文献１に記載の如く係止凹部を、バーナリングの前後方向である筒体の軸線上及び軸延長線上の２箇所に設けていると、いずれのバーナにおいても、係止凹部がガスコンロの前後方向の２箇所に位置することになる。このため、使用者が五徳をトッププレート上のバーナ周囲に載置する際の位置決めを、いずれのバーナにおいても同様に行うことができ、その分使い勝手が良いという利点がある。
【０００７】
しかし、前述の如く各バーナを、筒体の軸方向がガスコンロの前後方向と一致した状態で配設するためには、各バーナの火炎形成部の配設位置の前方又は後方のいずれかに各バーナの筒体を、その軸方向がガスコンロの前後方向に一致した状態で配設するためのスペースが必要である。従って、このようなスペースが確保できない場合、あるいはガスコンロにおいて各バーナの筒体を配設するための前後方向の寸法を小さくする必要がある場合などには、各バーナの筒体の軸方向を、ガスコンロの前後方向に対して傾斜させて各バーナを配設する必要が生じる。
【０００８】
しかしながら、この場合、各バーナにおいて、筒体の軸方向の、ガスコンロの前後方向に対する傾斜方向及び傾斜角度を各々別々に設定すると、各バーナの筒体の軸線上又は軸延長線上に設けられる係止凹部の傾斜方向及び傾斜角度もバーナ毎に異なることになる。このため、使用者が五徳をトッププレート上のバーナ周囲に載置する際の位置決めが容易でなく、使い勝手が悪くなるという問題がある。
【０００９】
本発明はかかる点に鑑みてなされたものであり、その課題は、各バーナの筒体の軸方向を、ガスコンロの前後方向に対して傾斜させて各バーナを配設する場合その傾斜方向及び傾斜角度を適宜設定することなどにより、使用者が五徳をトッププレート上のバーナ周囲に載置する際の位置決めが容易で使い勝手が良好なガスコンロを提供することにある。
【課題を解決するための手段】
【００１０】
前記の課題を解決するため、本発明は、ガスコンロとして、ガスコンロ本体の上面にトッププレートが被着され、このトッププレートに形成した複数のバーナ用開口に前記ガスコンロ本体内から、それぞれ環状の火炎形成部を形成した複数のバーナが挿通されているとともに、前記トッププレート上の各バーナ周囲に五徳が配置されており、前記五徳は、平面視略環状をした五徳枠と、この五徳枠の周方向に複数設けられ被加熱物が載置される板状部材からなる五徳爪とを備え、一部の五徳爪に係止突片が形成されているとともに、この係止突片に対応する位置に係止突片を係止する係止凹部が設けられており、前記各バーナは、ガス噴出用のノズルと、吸引口を有する筒体とを備え、前記ノズルから燃料ガスが噴出することによるエジェクター効果によって、燃焼用空気を一次空気として前記吸引口から吸引し、前記ノズルから噴出する燃料ガスと前記一次空気とが前記筒体内で混合されて混合気を成し、この混合気が前記火炎形成部に供給されるようになっており、前記各バーナの火炎形成部の所定箇所に、前記火炎形成部から噴出する混合気を点火する点火装置と、前記火炎形成部に形成される火炎を検出する炎検出器とが配設されてなることを前提とする。そして、本発明は、前記各バーナは、その筒体の軸線がガスコンロの前後方向に対して傾斜し、その傾斜方向が同一でかつ傾斜角度が同一又は傾斜方向が左右対称でかつ傾斜角度が同一な状態に配設されており、前記各バーナの点火装置及び炎検出器の少なくとも一方は、当該バーナの筒体の軸線上又は軸延長線上に配設されており、前記各バーナの少なくとも１つの係止凹部は、前記筒体の軸線上又は軸延長線上で前記点火装置又は前記炎検出器と対向した位置に設けられている構成とする。
【００１１】
この構成では、各バーナの筒体の軸線を、ガスコンロの前後方向に対して傾斜させて各バーナを配設する場合、各バーナは、その傾斜方向が同一でかつ傾斜角度が同一又は傾斜方向が左右対称でかつ傾斜角度が同一な状態に配設されているため、バーナ毎に傾斜方向及び傾斜角度が共に異なる場合に比べて使用者が五徳をトッププレート上のバーナ周囲に載置する際の係止突片と係止凹部との係止による五徳の位置決めを容易に行うことができる。
【００１２】
その上、前記各バーナの点火装置及び炎検出器の少なくとも一方は、当該バーナの筒体の軸線上又は軸延長線上に配設されており、前記各バーナの少なくとも１つの係止凹部は、前記筒体の軸線上又は軸延長線上で前記点火装置又は前記炎検出器に対向した位置に設けられているため、使用者が五徳をトッププレート上のバーナ周囲に載置する際に係止凹部が見え難いときでも各バーナの筒体の軸線上又は軸延長線上の点火装置又は炎検出器を目印として五徳の位置決めを容易に行うことができる。
【００１３】
ここで、前記五徳の五徳爪は、五徳枠の周方向に６０度間隔で６つ設けられており、この６つの五徳爪のうち、１２０度間隔毎の３つの五徳爪にそれぞれ係止突片が形成されており、前記各バーナの筒体の軸線は、ガスコンロの前後方向に対する傾斜角度が６０度に設定されていることが好ましい。この場合、各バーナの係止凹部は、前記係止突片に対応して、バーナ周囲の１２０度間隔毎の３箇所にそれぞれ設けられるが、そのうちの１つの係止凹部がバーナに対してガスコンロの前後方向に位置するようになるため、その分使用者が五徳をトッププレート上のバーナ周囲に載置する際の係止突片と係止凹部との係止による五徳の位置決めを一層容易に行うことができる。
【００１４】
また、前記バーナは、左右に２つ備えており、この２つのバーナのうち、左側のバーナは、その筒体が火炎形成部の右側に位置した状態に配設されている一方、右側のバーナは、その筒体が火炎形成部の左側に位置した状態に配設されていることが好ましい。この場合、２つのバーナの筒体の吸引口側及びガス噴出用のノズルは、いずれもガスコンロ本体内の左右方向中央部に位置して配設されることになる。このため、ガスコンロ本体内に配置されるガス量調整装置と各ガス噴出用ノズルとのガス配管の長さを比較的に短くすることができ、製造コストの低減化に寄与することができる。
【００１５】
さらに、前記各バーナの点火装置及び炎検出器は、平面視でバーナの火炎形成部の中心回りに１２０度間隔に配設されていることが好ましい。この場合、各バーナの点火装置及び炎検出器の両方が、それぞれ係止凹部に対向する位置に配設されるため、使用者が五徳をトッププレート上のバーナ周囲に載置する際に係止凹部が見え難いときでも点火装置及び炎検出器のいずれ一方を目印として五徳の位置決めをより一層容易に行うことができる。
【発明の効果】
【００１６】
本発明のガスコンロによれば、各バーナの筒体は、その傾斜方向が同一でかつ傾斜角度が同一又は傾斜方向が左右対称でかつ傾斜角度が同一な状態に配設されているため、バーナ毎に傾斜方向及び傾斜角度が共に異なる場合に比べて使用者が五徳をトッププレート上のバーナ周囲に載置する際の係止突片と係止凹部との係止による五徳の位置決めを容易に行うことができる。その上、使用者が五徳をトッププレート上のバーナ周囲に載置する際に係止凹部が見え難いときでも各バーナの筒体の軸線上又は軸延長線上の点火装置又は炎検出器を目印として五徳の位置決めを容易に行うことができ、使い勝手が良好なものである。
【図面の簡単な説明】
【００１７】
【図１】図１は本発明の実施形態に係るガスコンロの平面図である。
【図２】図２は前記ガスコンロのトッププレートを透視して見た平面図である。
【図３】図３は前記ガスコンロの主要部であるガスコンロ本体の平面図である。
【図４】図４は同じく正面図である。
【図５】図５は図３のＸ−Ｘ線における断面図である。
【図６】図６は図３の右側のバーナ付近の拡大図である。
【図７】図７は図４の右側のバーナ付近の拡大図である。
【図８】図８は図１の右側のバーナ付近の拡大図である。
【図９】図９は五徳の斜視図である。
【図１０】図１０は別の実施形態を示す図８相当図である。
【発明を実施するための形態】
【００１８】
以下、本発明を実施するための形態である実施形態を図面に基づいて説明する。
【００１９】
図１及び図２は本発明の一実施形態に係るガスコンロ１の全体構成を示す。このガスコンロ１は、ビルトイン型のコンロであり、例えばシステムキッチンのキャビネット内に組み込まれて用いられる。ガスコンロ１は、ガスコンロ本体１０と、トッププレート２０と、五徳３０とを備えている。
【００２０】
ガスコンロ本体１０は、図３ないし図５にも示すように、上面が開放された矩形箱状の筐体１１と、筐体１１内の上部に配設された左右２つのバーナ１２Ｌ，１２Ｒと、筐体１１内の中央部に設けられたグリル庫１３と、筐体１１内のグリル庫１３の右側下部に配設されたガス量調整装置１４とを備えている。筐体１１の前面の中央部にはグリル庫１３を前方に引き出し可能とする取っ手１５付きのグリル扉１６が設けられている。
【００２１】
トッププレート２０は、ガスコンロ本体１０の上面に被着されている。トッププレート２０は、筐体１１の上面より一回り大きい矩形状のガラス製のものである。トッププレート２０には左右２つのバーナ用開口２１，２１が形成され、この２つのバーナ用開口２１，２１にガスコンロ本体１０内から、それぞれバーナ１２Ｌ，１２Ｒ（詳しくは後述するバーナ本体４４ないし火炎形成部４５）が挿通されているとともに、トッププレート２０上の各バーナ１２Ｌ，１２Ｒ周囲に五徳３０が配置されている。
【００２２】
また、トッププレート２０のバーナ用開口２１より後方の位置には、グリル庫１３の排気を排出する左右方向に長い矩形状の排気口２２が形成されているとともに、この排気口２２を覆う排気カバー２３が取り付けられている。トッププレート２０のバーナ用開口２１より前方の位置には、各バーナ１２Ｌ，１２Ｒに対応して、その点消火指令及び火力調整を行うための左右２つの操作ノブ２４，２４が設けられている。
【００２３】
ここで、操作ノブ２４がトッププレート２０上に配置されていることから、この操作ノブ２４が対応するバーナ１２Ｌ，１２Ｒにより加熱されて温度上昇することを抑制するために、各バーナ１２Ｌ，１２Ｒは、共にガスコンロ本体１０内（詳しくは筐体１１内）の後方寄りに配置されている。また、ガスコンロ本体１０内のバーナ１２Ｌ，１２Ｒより前方には、操作ノブ２４の操作に応じて対応するバーナ１２Ｌ，１２Ｒの点消火指令及び火力調整を実行するための制御部（図示せず）が配置されるようになっている。このため、各バーナ１２Ｌ，１２Ｒをガスコンロ本体１０内に配設するに当たり、各バーナ１２Ｌ，１２Ｒは、ガスコンロ本体１０の前後方向に対して傾斜して配設されており、これについては、後に詳述する。
【００２４】
五徳３０は、図８及び図９に拡大詳示するように、平面視略円環状をした五徳枠３１と、五徳枠３１の周方向に６０度間隔毎に設けられ被加熱物が載置される６つの五徳爪３２，３２，…とを備えている。各五徳爪３２は、五徳枠３１の半径方向に延び外側端が五徳枠３１に固着された固着片３２ａと、固着片３２ａの内側端から上方に延びる内周側縦片３２ｂと、内周側縦片３２ｂの上端から五徳枠３１の半径方向外側に向かって略水平に延びる横片３２ｃと、横片３２ｃの外側端から下方に延びる外周側縦片３２ｄとを有する全体が逆Ｕ字状の板状部材からなる。
【００２５】
前記６つの五徳爪３２，３２，…のうち、１２０度間隔毎の３つの五徳爪３２，３２，３２には、それぞれ固着片３２ａの内側端から下方に突出する係止突片３２ｅが形成されているとともに、この係止突片３２ｅに対応する各バーナ１２Ｌ，１２Ｒの所定位置（詳しくは後述する）には、係止突片３２ｅを係止する係止凹部３３が形成されている。しかして、係止突片３２ｅと係止凹部３３との係止により、トッププレート２０上の各バーナ１２Ｌ，１２Ｒ周囲に五徳３０を載置する際の五徳３０の位置決めが行われるようになっている。
【００２６】
各バーナ１２Ｌ，１２Ｒは、右側のバーナ１２Ｒの場合図６及び図７に拡大詳示するように、ガス噴出用のノズル４１と、ノズル４１が挿入される吸引口４２を有する筒体４３と、筒体４３の下流端に連結されたバーナ本体４４と、バーナ本体４４の上部に形成された環状の火炎形成部４５とを備え、ノズル４１から燃料ガスが噴出することによるエジェクター効果によって、燃焼用空気を一次空気として吸引口４２から吸引し、ノズル４１から噴出する燃料ガスと前記一次空気とが筒体４３内で混合されて混合気を成し、この混合気が火炎形成部４５に供給されるようになっている。各バーナ１２Ｌ，１２Ｒのノズル４１は、それぞれ別々のガス供給管４６又は４７を介してガス量調整装置１４に接続されている。
【００２７】
各バーナ１２Ｌ，１２Ｒの火炎形成部４５（つまりバーナ本体４４の上部）の所定箇所には、図８に示すように、火炎形成部４５から噴出する混合気を点火する点火プラグからなる点火装置４８と、火炎形成部４５に形成される火炎を検出する熱電対からなる炎検出器４９とが配設されている。
【００２８】
そして、本発明の特徴点として、図２及び図３に示すように、各バーナ１２Ｌ，１２Ｒは、ガスコンロ本体１０の前後方向に対して傾斜し、その傾斜方向が左右対称でかつ傾斜角度が同一な状態に配設されている。詳しくは、左側のバーナ１２Ｌは、その筒体４３が火炎形成部４５の右側に位置した状態に配設されている一方、右側のバーナ１２Ｒは、その筒体４３が火炎形成部４５の左側に位置した状態に配設されている。各バーナ１２Ｌ，１２Ｒの筒体４３の軸線（軸延長線を含む）４３ａは、ガスコンロ１の前後方向に対する傾斜角度θが６０度に設定されている（図６参照）。
【００２９】
各バーナ１２Ｌ，１２Ｒの炎検出器４９は、当該バーナ１２Ｌ，１２Ｒの筒体４３の軸線４３ａ上（詳しくは軸延長線上）に配設されている。また、係止凹部３３は、図６及び図７に示すように、各バーナ１２Ｌ，１２Ｒのバーナ本体４４におけるトッププレート２０のバーナ用開口２１と対向する部位（例えばバーナ本体４４とトッププレート２０のバーナ用開口２１との間の隙間を塞ぐためのバーナリングなど）にバーナ本体４４の周方向に１２０度間隔毎に３つ設けられており、そのうちの１つの係止凹部３３は、筒体４３の軸線４３ａ上で炎検出器４９と対向した位置に設けられている。
【００３０】
尚、図３ないし図６中、５１はガスコンロ本体１０に取り付けられた吊り具であって、ガスコンロ本体１０をキャビネット内などに組み込むときに用いるものである。吊り具５１の不使用時には、吊り具５１はガスコンロ本体１０の筐体１１内に倒されて収納されるようになっている。
【００３１】
次に、前記ガスコンロ１の作用効果について説明する。各バーナ１２Ｌ，１２Ｒの筒体４３の軸線４３ａを、ガスコンロ１の前後方向に対して傾斜させて各バーナ１２Ｌ，１２Ｒを配設する場合、各バーナ１２Ｌ，１２Ｒは、その傾斜方向が左右対称でかつ傾斜角度θが同一な状態に配設されているため、バーナ１２Ｌ，１２Ｒ毎に傾斜方向及び傾斜角度が共に異なる場合に比べて使用者が五徳３０をトッププレート２０上のバーナ１２Ｌ，１２Ｒ周囲に載置する際の係止突片３２ｅと係止凹部３３との係止による五徳３０の位置決めを容易に行うことができる。
【００３２】
その上、各バーナ１２Ｌ，１２Ｒの炎検出器４９は、当該バーナ１２Ｌ，１２Ｒの筒体４３の軸線４３ａ上に配設されており、各バーナ１２Ｌ，１２Ｒの１つの係止凹部３３は、筒体４３の軸線４３ａ上で炎検出器４９に対向した位置に設けられているため、使用者が五徳３０をトッププレート２０上のバーナ１２Ｌ，１２Ｒ周囲に載置する際に係止凹部３３が見え難いときでも各バーナ１２Ｌ，１２Ｒの筒体４３の軸線４３ａ上の炎検出器４９を目印として五徳３０の位置決めを容易に行うことができ、使い勝手が良好なものである。
【００３３】
特に、本実施形態の場合、五徳３０の五徳爪３２は、五徳枠３１の周方向に６０度間隔で６つ設けられており、この６つの五徳爪３２，３２，…のうち、１２０度間隔毎の３つの五徳爪３２，３２，３２にそれぞれ係止突片３２ｅが形成されており、各バーナ１２Ｌ，１２Ｒの筒体４３の軸線４３ａは、ガスコンロ１の前後方向に対する傾斜角度θが６０度に設定されている。また、各バーナ１２Ｌ，１２Ｒの係止凹部３３は、係止突片３２ｅに対応して、各バーナ１２Ｌ，１２Ｒのバーナ本体４４周囲の１２０度間隔毎の３箇所にそれぞれ設けられているが、そのうちの１つの係止凹部３３は、各バーナ１２Ｌ，１２Ｒのバーナ本体４４に対してガスコンロ１の前後方向に位置している。このため、使用者が五徳３０をトッププレート２０上のバーナ１２Ｌ，１２Ｒ周囲に載置する際の係止突片３２ｅと係止凹部３３との係止による五徳３０の位置決めを一層容易に行うことができる。
【００３４】
また、左右２つのバーナ１２Ｌ，１２Ｒのうち、左側のバーナ１２Ｌは、その筒体４３が火炎形成部４５の右側に位置した状態に配設されている一方、右側のバーナ１２Ｒは、その筒体４３が火炎形成部４５の左側に位置した状態に配設されており、２つのバーナ１２Ｌ，１２Ｒ夫々の筒体４３の吸引口４２側及びガス噴出用のノズル４１は、いずれもガスコンロ本体１０内（詳しくは筐体１１内）の左右方向中央部に位置して配設されている。このため、ガスコンロ１でトッププレート２０を取り外して各ガス噴出用のノズル４１周辺のメンテナンスを行うのに都合が良い。その上、ガスコンロ本体１０内の所定位置（本実施形態の場合グリル庫１３の右側下部）に配置されるガス量調整装置１４と各ガス噴出用のノズル４１を接続するガス供給管４６，４７のトータルの長さを比較的に短くすることができ、製造コストの低減化に寄与することができる。
【００３５】
尚、本発明は前記実施形態に限定されるものではなく、その他種々の形態を包含するものである。例えば前記実施形態では、各バーナ１２Ｌ，１２Ｒの点火装置４８及び炎検出器４９のうち、炎検出器４９を、当該バーナ１２Ｌ，１２Ｒの筒体４３の軸線４３ａ上に配設する一方、点火装置４８及び炎検出器４９の相互の位置関係については特に限定しなかったが、本発明は、前記実施形態の構成に加えて、各バーナ１２Ｌ，１２Ｒの点火装置４８及び炎検出器４９を、右側のバーナ１２Ｒの場合図１０に示すように、平面視でバーナ１２Ｌ，１２Ｒの火炎形成部４５の中心回りに１２０度間隔に配設しても良い。この場合、各バーナ１２Ｌ，１２Ｒの点火装置４８及び炎検出器４９の両方が、それぞれ係止凹部３３に対向する位置に配設されるため、使用者が五徳３０をトッププレート２０上のバーナ１２Ｌ，１２Ｒ周囲に載置する際に係止凹部３３が見え難いときでも点火装置４８及び炎検出器４９のいずれ一方を目印として五徳３０の位置決めをより一層容易に行うことができる。
【００３６】
また、前記実施形態では、各バーナ１２Ｌ，１２Ｒの筒体４３の軸線４３ａを、ガスコンロ１の前後方向に対して傾斜させて各バーナ１２Ｌ，１２Ｒを配設する場合、各バーナ１２Ｌ，１２Ｒを、その傾斜方向が左右対称でかつ傾斜角度が同一な状態に配設したが、本発明は、これに限らず、各バーナ１２Ｌ，１２Ｒを、その傾斜方向が同一でかつ傾斜角度が同一な状態に配設しても良く、同様な作用効果を奏することができる。
【００３７】
さらに、前記実施形態では、左右２つのバーナ１２Ｌ，１２Ｒを備えたガスコンロ１について述べたが、本発明は、３つ以上のバーナを備えたガスコンロにも同様に適用することができる。また、前記実施形態では、五徳３０が五徳爪３２を６つ備えてなる場合について述べたが、本発明は、五徳が五徳爪を７つ以上又は５つ以下備えてなる場合にも同様に適用することができるのは勿論である。
【００３８】
加えて、前記実施形態では、トッププレート２０がガラス製のものであり、このトッププレート２０に形成したバーナ用開口２１にガスコンロ本体１０内から、バーナ本体４４の上部に環状の火炎形成部４５を形成したバーナ１２Ｌ，１２Ｒ（詳しくはバーナ本体４４）が挿通され、このバーナ１２Ｌ，１２Ｒの、五徳爪３２に形成した係止突片３２ｅに対応する位置に、係止突片３２ｅを係止する係止凹部３３が設けられた場合について述べたが、本発明は、トッププレートがステンレス鋼等の金属からなり、このトッププレートに形成したバーナ用開口の周囲に隆起部が形成され、この隆起部の所定位置、つまり五徳爪に形成した係止突片に対応する位置に、係止突片を係止する係止凹部が設けられた場合にも同様に適用することができる。
【符号の説明】
【００３９】
１    ガスコンロ
１０    ガスコンロ本体
１２Ｌ，１２Ｒ    バーナ
２０    トッププレート
２１    バーナ用開口
３０    五徳
３１    五徳枠
３２    五徳爪
３２ｅ  係止突片
３３    係止凹部
４１    ガス噴出用のノズル
４２    吸引口
４３    筒体
４３ａ  筒体の軸線
４４    バーナ本体
４５    火炎形成部
４８    点火装置
４９    炎検出器
【図１】
2015230118.tif 000003
【図２】
2015230118.tif 000004
【図３】
2015230118.tif 000005
【図４】
2015230118.tif 000006
【図５】
2015230118.tif 000007
【図６】
2015230118.tif 000008
【図７】
2015230118.tif 000009
【図８】
2015230118.tif 000010
【図９】
2015230118.tif 000011
【図１０】
2015230118.tif 000012